(57)【特許請求の範囲】
【請求項１】
Ａ）リグノセルロースバイオマス原料を、蒸気もしくは液体の水またはそれらの混合物に、１００〜２１０℃の範囲の温度で１分〜２４時間浸漬して、乾燥含有物と第１液体とを含有する浸漬バイオマスを創出するステップと、
Ｂ）第１液体の少なくとも一部分を浸漬バイオマスから分離して、第１液体流れと第１固体流れとを創出するステップであって、第１固体流れが、浸漬バイオマスを含むステップと、
Ｃ）第１固体流れを水蒸気爆砕して、固体と第２液体とを含む水蒸気爆砕流れを創出するステップと
を含む、リグノセルロースバイオマスを処理する方法。
【請求項２】
水蒸気爆砕流れ中の第２液体の少なくともいくらかが、水蒸気爆砕流れから分離されて第２液体流れを創出する、請求項１に記載の方法。
【請求項３】
浸漬ステップＡが、１４０〜２１０℃の温度範囲で１分〜１６時間行われる、請求項１または２に記載の方法。
【請求項４】
ステップＡ）のリグノセルロースバイオマス原料が、
２５〜１００℃の範囲の温度の水を含む液体中にリグノセルロースバイオマスを１分〜２４時間浸漬する低温浸漬ステップを行い、低温浸漬ステップの後に、低温浸漬リグノセルロースバイオマスから液体の少なくとも一部分を分離する分離ステップを行う、ことにより得られるものである、請求項１から３のいずれかに記載の方法。
【請求項５】
リグノセルロースバイオマスを、ステップＡにおいて、１分〜６時間、１分〜４時間および１分〜３時間からなる群より選択される範囲内の時間浸漬する、請求項１から４のいずれかに記載の方法。
【請求項６】
リグノセルロースバイオマスを、ステップＡにおいて、１分〜４時間の範囲内の時間浸漬する、請求項１から４のいずれかに記載の方法。
【請求項７】
リグノセルロースバイオマスを、ステップＡにおいて、１分〜３時間の範囲内の時間浸漬する、請求項１から４のいずれかに記載の方法。
【請求項８】
リグノセルロースバイオマスを、ステップＡにおいて、１分〜２．５時間の範囲内の時間浸漬する、請求項１から４のいずれかに記載の方法。
【請求項９】
リグノセルロースバイオマスを、ステップＡにおいて、１分〜２．０時間の範囲内の時間浸漬する、請求項１から４のいずれかに記載の方法。
【請求項１０】
第１液体流れの液体の少なくとも一部分を、水蒸気爆砕流れの少なくとも一部分と併合するさらなるステップを含む、請求項１から９のいずれかに記載の方法。
【請求項１１】
水蒸気爆砕流れを、少なくとも第３液体で洗浄して第３液体流れを創出する、請求項４から１０のいずれかに記載の方法。
【請求項１２】
第１液体流れを精製して、第１精製液体流れを創出した後に、第１液体流れを、水蒸気爆砕流れの少なくとも一部分と併合する、請求項１から１１のいずれかに記載の方法。
【請求項１３】
第３液体流れを精製し、次いで、水蒸気爆砕流れの少なくとも一部分と併合する、請求項１１または１２に記載の方法。
【請求項１４】
浸漬バイオマスからの液体の分離が、浸漬バイオマスを圧搾することにより行われる、請求項１から１３のいずれかに記載の方法。
【請求項１５】
第１液体流れの精製が、フラッシングにより行われる、請求項１２から１４のいずれかに記載の方法。
【請求項１６】
フラッシングが、フラッシングの前に第１液体流れの圧力を大気圧まで低下させることなく行われる、請求項１５に記載の方法。
【請求項１７】
フラッシングが、第１液体を浸漬バイオマスから分離するステップの最後に、第１液体流れの圧力にて行われる、請求項１５または１６に記載の方法。
【請求項１８】
第２液体流れが、水蒸気ストリッピングにより精製される、請求項１３から１７のいずれかに記載の方法。
【請求項１９】
精製第１液体流れを第２液体流れと併合した後に、第２液体流れが精製される、請求項１３から１８のいずれかに記載の方法。
【請求項２０】
第３液体流れが、水蒸気ストリッピングにより精製される、請求項１３から１９のいずれかに記載の方法。
【請求項２１】
第１液体流れと第２液体流れと第３液体流れとが、一緒に精製される、請求項１３から２０のいずれかに記載の方法。
【請求項２２】
精製が、水蒸気ストリッピングである、請求項２１に記載の方法。
【請求項２３】
水蒸気ストリッピングの後に、活性炭での処理を行う、請求項１８、２０および２２のいずれかに記載の方法。
【請求項２４】
精製流れを濃縮して水を除去する、請求項１８、２０、２２および２３のいずれかに記載の方法。
【請求項２５】
第１精製流れを第２液体流れと併合した後に、第２液体流れが精製される、請求項１８、２０、２２、２３および２４のいずれかに記載の方法。
【請求項２６】
水蒸気爆砕流れの少なくとも一部分との混合のいずれもが、水蒸気爆砕流れの少なくとも一部分が加水分解された後に行われる、請求項２から２４のいずれかに記載の方法。
【発明の詳細な説明】
【背景技術】
【０００１】
バイオマスの分野において、リグノセルロースバイオマスをエタノールに変換することは、通常行われることである。バイオマスが多糖含有バイオマスであり、これがリグノセルロース性である場合、前処理をしばしば行って、含有リグノセルロース性物質の構造に酵素がより近づきやすくなるようにするが、同時に、酢酸、フルフラールおよびヒドロキシメチルフルフラールのような有害な阻害性副生成物の濃度が、通常高くなり、さらなる加工において問題となる。
【０００２】
大まかに言うと、処理が厳しいほど、物質の含有セルロースがより近づきやすくなる。水蒸気爆砕の厳しさは、文献においてＲｏとして知られ、
Ｒｏ＝ｔ・ｅ［（Ｔ−１００）／１４．７５］
（セ氏で表される温度Ｔ、および共通の単位で表される時間ｔ）として表される時間と温度の関数である。この式は、Ｌｏｇ（Ｒｏ）として、すなわち
Ｌｏｇ（Ｒｏ）＝Ｌｎ（ｔ）＋［（Ｔ−１００）／１４．７５］
としても表される。
【０００３】
高いＲｏ値は、フルフラールのような、バイオマスの加水分解および発酵を阻害する望ましくない副生成物の数が多いことと関連すると一般的に考えられる。
【０００４】
非特許文献１は、その結論の中で、「水蒸気爆砕に基づく方法は・・・分解生成物の形成が収率を低減させるので、長期の運転において魅力的でない」とさえ主張し、アンモニア繊維爆砕および超臨界流体に基づく処理のような代替法を研究することを勧めている。
【０００５】
よって、高Ｒｏを有する厳しい方法であって、同時にフルフラールが低い生成物を生成する方法が必要とされている。
【先行技術文献】
【非特許文献】
【０００６】
【非特許文献１】ＮＲＥＬ  Ｒｅｐｏｒｔ第ＴＰ−４２１−４９７８号、１９９２年１１月、ＭｃＭｉｌｌａｎ  Ｊ．Ｄ．、「Ｐｒｏｃｅｓｓｅｓ  ｆｏｒ  Ｐｒｅｔｒｅａｔｉｎｇ  Ｌｉｇｎｏｃｅｌｌｕｌｏｓｉｃ  Ｂｉｏｍａｓｓ：  Ａ  Ｒｅｖｉｅｗ」
【発明の概要】
【課題を解決するための手段】
【０００７】
本明細書において、バイオマス原料を、蒸気または液体の水に、１００〜２１０℃、好ましくは１４０〜２１０℃の温度範囲で１分〜２４時間、好ましくは１分〜１６時間、より好ましくは１分〜２．５時間、最も好ましくは１分〜２時間浸漬して、乾燥含有物と第１液体とを含有する浸漬バイオマスを創出するステップと、第１液体の少なくとも一部分を浸漬バイオマスから分離して、第１液体流れと第１固体流れとを創出するステップであって、第１固体流れが、浸漬バイオマスを含むステップと、第１固体流れを水蒸気爆砕して、固体と第２液体とを含む水蒸気爆砕流れを創出するステップと、所望により、第２液体の少なくともいくらかが水蒸気爆砕流れから分離されて、第２液体流れと第２固体流れとを創出するステップとを含む、バイオマスの改良された前処理の方法が開示される。この方法が、第１液体流れの液体の少なくとも一部分を第２固体流れと併合するさらなるステップも含み得ることも開示される。
【０００８】
水蒸気爆砕流れを少なくとも第３液体とともに洗浄して第３液体流れを創出した後に、水蒸気爆砕流れを分離ステップに導入する、第３の任意選択のステップも開示される。
【０００９】
第１液体流れを精製して第１精製液体流れを創出した後に、第１液体流れを第２固体流れと併合する、さらなる精製ステップが開示される。
【００１０】
第２液体流れを精製して第２精製液体流れを創出し、次いで、第２精製液体流れを第２固体流れと併合するさらなるステップが開示される。
【００１１】
第３液体流れを精製し、次いで、これを第２固体流れと併合することもさらに開示される。
【００１２】
液体を浸漬バイオマスから分離する方法として、圧搾が開示される。
【００１３】
第１液体流れを精製するステップとして、フラッシングが開示される。このフラッシングが、フラッシングの前に第１液体流れの圧力を大気圧まで低下させることなく行われることが、さらに開示される。フラッシングが、第１液体を浸漬バイオマスから分離するステップの最後に、第１液体流れの圧力にて行われることが、さらに開示される。
【００１４】
組み合わせてまたは別々の任意のそして全ての液体流れの水蒸気ストリッピングが開示される。水蒸気爆砕ステップおよび／または浸漬ステップからの蒸気を用いることも開示される。
【００１５】
任意の液体流れを活性炭で精製することも開示される。流れを濃縮して水を除去することも開示される。第２固体流れの少なくとも一部分を加水分解した後に、流れを併合し得ることも開示される。
【００１６】
本明細書において、固体と、液体と、組成物の液体および固体中のアラビナンおよびキシランならびにアラビノースおよびキシロースのモノマー、ダイマー、オリゴマーおよびポリマーの量に基づく量のＣ５と、組成物の液体および固体中のグルカンのモノマー、ダイマー、オリゴマーおよびポリマーを含むグルカン含量に基づく量のＣ６と、フルフラールとを含む上記の方法からの新規な組成物であって、Ｃ６の量に対するＣ５の量の比率が０．５０未満であり、Ｃ５とＣ６の量の合計に対する組成物中に常に存在するフルフラールの量の比率が、０より大きく０．０１４０未満であるとも表される０〜０．０１４０であり；０より大きく０．０１００未満であるとも表される０〜０．０１００であり；０より大きく０．００６０未満であるとも表される０〜０．００６０であり；０より大きく０．００４０未満であるとも表される０〜０．００４０であり；０より大きく０．００３０未満であるとも表される０〜０．００３０であり；０より大きく０．００２０未満であるとも表される０〜０．００２０であり；０より大きく０．００１０未満であるとも表される０〜０．００１０；または０より大きく０．０００９未満であるとも表される０〜０．０００９である組成物も開示される。Ｃ６の量に対するＣ５の量の比率が、０．４４未満であることがさらに開示される。
【００１７】
固体と、液体と、組成物の液体および固体中のアラビナンおよびキシランならびにアラビノースおよびキシロースのモノマー、ダイマー、オリゴマーおよびポリマーの量に基づく量のＣ５と、組成物の液体および固体中のグルカンのモノマー、ダイマー、オリゴマーおよびポリマーを含むグルカン含量に基づく量のＣ６と、フルフラールとを含み、Ｃ６の量に対するＣ５の量の比率が０．５０より大きく、Ｃ５とＣ６の量の合計に対するフルフラールの量の比率が、０より大きく０．０９未満であるとも表される０〜０．０９；０より大きく０．００６０未満であるとも表される０〜０．００６０；０より大きく０．００５０未満であるとも表される０〜０．００５０；０〜０．００４０；０より大きく０．００３０未満であるとも表される０〜０．００３０、および０より大きく０．００１６未満であるとも表される０〜０．００１６の範囲のいずれかである別の新規なバイオマスの組成物が開示される。
【００１８】
新規な組成物のいずれかの合計重量に対する固体の量が、３〜８５％、３〜６５％、３〜２０％、１１〜９９％、１４〜９９％、１６〜９９％、１９〜９９％、２１〜９９％、２４〜９９％、２６〜９９％、２９〜９９％、３１〜９９％、３６〜９９％および４１〜９９％の範囲のいずれかであることがさらに開示される。
【図面の簡単な説明】
【００１９】
【図１】方法の実施形態の模式図である。
【図２】方法の第２の実施形態の模式図である。
【図３】方法の第３の実施形態の模式図である。
【図４】方法の第４の実施形態の模式図である。
【図５】方法の第５の実施形態の模式図である。
【図６】方法の第６の実施形態の模式図である。
【図７】方法の第７の実施形態の模式図である。
【図８】方法の第８の実施形態の模式図である。
【図９】方法の第９の実施形態の模式図である。
【発明を実施するための形態】
【００２０】
本文の全ての場合において、用語「流れ」は、物質も含むことを意味するために用いられる。例えば、第２液体流れは、第２液体を含み、第２精製液体流れは、第２精製液体を含む。流れを併合するとは、流れ中の物質を混合することを意味する。
【００２１】
本方法は、原料流れ中の原料に対して作用する。原料流れは、乾燥含有物と水を有するバイオマスを含む。通常、水は自由水ではないが、バイオマス自体に吸収された水である。このバイオマスは、その乾燥含量（水でない）に従ってしばしば表される。２０％の乾燥含量バイオマスは、８０％の水と２０％の水でないもの、またはそうでなければ固体含有物を有するバイオマスに相当する。バイオマスおよび水との用語は、バイオマスの乾燥含有物＋吸収された水と自由水と加えられ得る水である。例えば、２０％乾燥含量の１００ｋｇのバイオマスについて、バイオマス＋水の量は１００ｋｇである。２０％乾燥含量の１００ｋｇのバイオマス＋１０ｋｇの水について、バイオマス＋水の量は１１０ｋｇである。
【００２２】
記載される方法は、バイオマスの原料流れと水を利用できると考えられ、ここで、原料流れの水に対する乾物含量は、好ましくは２０〜８０％または２１〜８０％、好ましくは２５〜７０％または２６〜７０％、より好ましくは２５〜６０％または２６〜６０％、さらにより好ましくは２５〜５０％または２６〜５０％または２５〜４０％または２６％〜４０％、および最も好ましくは２５〜３５％または２６〜３５％または２６〜３４％または３１％〜４９％である。
【００２３】
処理の後に、組成物の全重量に対する固体の量は、３〜８５％、３〜８５％、３〜６５％、３〜２０％、１１〜９９％、１４〜９９％、１６〜９９％、１９〜９９％、２１〜９９％、２４〜９９％、２６〜９９％、２９〜９９％、３１〜９９％、３６〜９９％および４１〜９９％の範囲のいずれかであり得る。
【００２４】
これは、代わりに、最小乾燥含量として、すなわち原料流れ中の水に対する乾燥含有物の重量パーセントとして表すことができる。これは、少なくとも２０重量パーセント乾物含量、好ましくは少なくとも２５重量パーセント乾物含量、より好ましくは少なくとも３０重量パーセント乾物含量、および最も好ましくは少なくとも４０重量パーセント乾物含量に相当する。これらの含量の上限は定義により１００％であるが、実際は、これらの含量について、これらを範囲で表すならば、８０重量パーセントが上限である。
【００２５】
よって、本発明に適する範囲は、３％、１５％、２０％、２１％、２５％、２６％、３０％、３１％、３５％、３６％、４０％、５０％、６０％および８０％より大きく、各下限について上限が１００％または９０％の乾燥含量を有するバイオマスである。
【００２６】
バイオマスの繊維および粒子のサイズの分布は、０〜１５０ｍｍ、好ましくは５〜１２５ｍｍ、より好ましくは１０〜１００ｍｍ、さらにより好ましくは１５〜３０から９０ｍｍまたは２０〜８０ｍｍ、および最も好ましくは２６〜７０ｍｍの範囲を含み得る。
【００２７】
繊維および粒子のサイズの好ましい分布は、好ましい間隔内で変化するバイオマスの少なくとも２０％（ｗ／ｗ）と定義される。
【００２８】
植物バイオマスは、好ましい原料である。デンプン以外に、植物バイオマスの主要な３つの構成成分は、セルロース、ヘミセルロースおよびリグニンであり、これらは、包括的な用語でリグノセルロースと一般的によばれる。包括的な用語としての多糖含有バイオマスは、デンプンおよびリグノセルロースバイオマスの両方を含む。よって、いくつかのタイプの原料は、植物バイオマス、多糖含有バイオマスおよびリグノセルロースバイオマスであり得る。典型的なリグノセルロースバイオマスは、セルロースを、乾燥バイオマスの全量の少なくとも５重量パーセントの量で、乾燥バイオマスの全量の少なくとも１０重量％および２０重量％で含有する。リグノセルロースバイオマスは、デンプンを、好ましくは５０重量％未満、さらにより好ましくは４５、３５および１５重量パーセント未満で含有してもよい。
【００２９】
バイオマスが多糖含有バイオマスであり、これがリグノセルロース性である場合、前処理をしばしば行って、含有リグノセルロースの構造に酵素がより近づきやすくなり、同時に、酢酸、フルフラールおよびヒドロキシメチルフルフラールのような有害な阻害性副生成物の濃度が実質的に低いままであることを確実にする。
【００３０】
本発明による多糖含有リグノセルロースバイオマスは、例えばデンプンならびに精製デンプン、セルロースおよびヘミセルロースの形態の重合糖を含む任意の物質を含む。
【００３１】
本発明による加水分解および前処理のためのセルロース性バイオマスおよび多糖リグノセルロースバイオマスの適切なタイプは、禾本に由来するバイオマス、より具体的には農作物：例えばデンプン、例えば粒を含むデンプンおよび精製デンプン；トウモロコシの茎と葉、バガス、例えばコメ、コムギ、ライムギ、オーツ麦、オオムギ、ナタネ、モロコシからのわら；軟木、例えばパイナス・シルベストリス（Ｐｉｎｕｓ  ｓｙｌｖｅｓｔｒｉｓ）、パイナス・ラジアタ（Ｐｉｎｕｓ  ｒａｄｉａｔｅ）；堅木、例えばサリックス種（Ｓａｌｉｘ  ｓｐｐ．）、ユーカリプタス種（Ｅｕｃａｌｙｐｔｕｓ  ｓｐｐ．）；塊茎、例えばビート、ジャガイモ；例えばコメ、コムギ、ライムギ、オーツ麦、オオムギ、ナタネ、モロコシおよびトウモロコシからの穀類；同様の乾物含量を有する廃紙、バイオガス加工からの繊維画分、堆肥、アブラヤシ加工からの残渣、自治体の固形廃棄物などを含み得る。
【００３２】
リグノセルロースバイオマス原料は、好ましくは、通常、禾本とよばれる科からである。正式名称は、顕花植物のユリ綱（Ｌｉｌｉｏｐｓｉｄａ）（単子葉植物）の中のイネ科（ＰｏａｃｅａｅまたはＧｒａｍｉｎｅａｅ）として知られる科である。この科の植物は、通常、禾本、またはその他のイネ科型植物とそれらを区別するために真正禾本（ｔｒｕｅ  ｇｒａｓｓｅｓ）とよばれる。竹も含まれる。約６００の属、およびおよそ９，０００〜１０，０００以上の種の禾本が存在する（Ｋｅｗ  Ｉｎｄｅｘ  ｏｆ  Ｗｏｒｌｄ  Ｇｒａｓｓ  Ｓｐｅｃｉｅｓ）。
【００３３】
イネ科は、世界中で成長する主要食物穀粒および穀類作物、芝生および飼草ならびに竹を含む。イネ科は、通常、稈とよばれる中空の茎を有し、これは、そこから葉が生じる稈に沿った節とよばれる点でところどころが詰まって（中実）いる。禾本の葉は、通常、互生、対生（１つの平面で）または希にらせん状であり、平行脈である。それぞれの葉は、ある距離で茎を抱え込む下部葉鞘と、葉縁が通常は全縁の葉身とに分化する。多くの禾本の葉の葉身は、シリカ植物化石で堅くなっており、これが、草食動物を遠ざける助けとなる。いくつかの禾本（例えばソードグラス）において、これは、禾本の葉身の縁を、ヒトの皮膚を切断するのに十分な程度に鋭くする。葉舌とよばれる膜状付属体または毛のふさは、葉鞘と葉身との間の接合部にあり、水または昆虫が葉鞘に浸透するのを防ぐ。
【００３４】
禾本の葉身は、葉身の基部で成長するのであって、伸長した茎の先端からでない。この低い成長点は、草食動物に応答して進化したものであり、植物に著しい損傷を与えることなく、規則的に禾本を草食するかまたは刈ることが可能になる。
【００３５】
イネ科の花は、特徴的には小穂に配置され、各小穂は、１または複数の小花を有する（小穂は、円錐花序または穂状花序にさらに分類される）。小穂は、基部の頴とよばれる２つ（または時により少ない）の包葉と、それに続く１または複数の小花とからなる。小花は、外頴（外側のもの）と内頴（内側）とよばれる２つの包葉で囲まれた花からなる。花は、通常、雌雄同花（雌雄同株であるトウモロコシは例外である）であり、受粉は、ほとんど常に風媒である。花被は、鱗被とよばれる２つの芽鱗に変形し、これらが伸縮して外頴および内頴を広げる。これらは、通常、変形萼片と解釈される。この複雑な構造は、コムギ（トリチカム・エスチバム（Ｔｒｉｔｉｃｕｍ  ａｅｓｔｉｖｕｍ））の穂状花序を描いた左側の画像で見ることができる。
【００３６】
イネ科の果実は、種皮が果皮と融合した、すなわち分けることができない（トウモロコシの穀粒のように）頴果である。
【００３７】
禾本には、３つの全般的な成長習性の分類、すなわち束型（群生ともいう）、葡萄枝型および根茎型が存在する。
【００３８】
禾本の成果は、部分的にその形態および成長プロセスに、そして部分的にその生理的多様性にある。ほとんどの禾本は、炭素固定のためにＣ３およびＣ４光合成経路を用いる２つの生理的な群に分けられる。Ｃ４禾本は、専門化された葉のクランツ構造と連結された光合成経路を有し、この構造が、特に暑い気候および低い二酸化炭素の雰囲気にそれらを適合させる。
【００３９】
Ｃ３禾本は「寒冷期禾本」とよばれ、Ｃ４植物は「温暖期禾本」とみなされる。禾本は、一年生または多年生のいずれかであり得る。一年生の寒冷期の例は、コムギ、ライムギ、一年生ブルーグラス（一年生メドウグラス、ポア・アニュア（Ｐｏａ  ａｎｎｕａ）およびオーツ麦）である。多年生の寒冷期の例は、オーチャードグラス（カモガヤ、ダクティリス・グロメラータ（Ｄａｃｔｙｌｉｓ  ｇｌｏｍｅｒａｔａ））、ウシノケグサ（フェストゥーカ種（Ｆｅｓｔｕｃａ  ｓｐｐ））、ケンタッキーブルーグラスおよびペレニアルライグラス（ロリウム・ペレンネ（Ｌｏｌｉｕｍ  ｐｅｒｅｎｎｅ））である。一年生温暖期の例は、トウモロコシ、スーダングラスおよびパールミレットである。多年生温暖期の例は、ビッグブルーステム、インディアングラス、バミューダグラスおよびスイッチグラスである。
【００４０】
禾本科のある分類は、１２の亜科を認定している。これらは、１）２つの属（アノモクロア（Ａｎｏｍｏｃｈｌｏａ）、ストレプトケタ（Ｓｔｒｅｐｔｏｃｈａｅｔａ））を含む広葉禾本の小さい系統であるアノモクロオイデ（ａｎｏｍｏｃｈｌｏｏｉｄｅａｅ）；２）ファルス（Ｐｈａｒｕｓ）およびレプタスピス（Ｌｅｐｔａｓｐｉｓ）を含む３つの属を含む小さい系統であるファロイデ（Ｐｈａｒｏｉｄｅａｅ）；３）アフリカの属であるプエリア（Ｐｕｅｌｉａ）を含む小さい系統であるプエリオイデ（Ｐｕｅｌｉｏｉｄｅａｅ）；４）コムギ、オオムギ、オーツ麦、スズメノチャヒキ（ブロナス（Ｂｒｏｎｎｕｓ））およびリードグラス（カラマグロスティス（Ｃａｌａｍａｇｒｏｓｔｉｓ））を含むプーイデ（Ｐｏｏｉｄｅａｅ）；５）竹を含むバンブソイデ（Ｂａｍｂｕｓｏｉｄｅａｅ）；６）コメおよびワイルドライスを含むエールハルトイデ（Ｅｈｒｈａｒｔｏｉｄｅａｅ）；７）ジャイアントリードおよびコモンリードを含むアルンディノイデ（Ａｒｕｎｄｉｎｏｉｄｅａｅ）、８）パニコイデ（Ｐａｎｉｃｏｉｄｅａｅ）に時に含まれる１１の属の小さい亜科であるセントテコイデ（Ｃｅｎｔｏｔｈｅｃｏｉｄｅａｅ）；９）カゼクサ（エラグロスティス（Ｅｒａｇｒｏｓｔｉｓ）、およそ３５０種、テフを含む）、ドロップシード（スポロボラス（Ｓｐｏｒｏｂｏｌｕｓ）、１６０あまりの種）、シコクビエ（Ｅｌｅｕｓｉｎｅ  ｃｏｒａｃａｎａ（Ｌ．）Ｇａｅｒｔｎ．）およびミューレンベルギアリンドハイメリ（ミューレンベルギア（Ｍｕｈｌｅｎｂｅｒｇｉａ）、およそ１７５種）を含むクロリドイデ（Ｃｈｌｏｒｉｄｏｉｄｅａｅ）；１０）パニックグラス、トウモロコシ、モロコシ、サトウキビ、ほとんどのキビ、フォニオおよびウシクサを含むパニコイデ、１１）ミクライロイデ（Ｍｉｃｒａｉｒｏｉｄｅａｅ）；１２）約５００種の禾本の属であり、両半球の温度領域の原産であるポア（Ｐｏａ）とともにパンパスグラスを含むダントニオディエ（Ｄａｎｔｈｏｎｉｏｄｉｅａｅ）である。
【００４１】
食用の種子のために成長させる農芸禾本は、穀類とよばれる。３つの一般的な穀類は、コメ、コムギおよびトウモロコシ（ｍａｉｚｅ）（トウモロコシ（ｃｏｒｎ））である。全ての作物のうちで、７０％が禾本である。
【００４２】
サトウキビは、砂糖製造の主要な供給源である。禾本は、建設のために用いられる。竹で作製された足場は、鋼鉄足場を破壊し得る台風の力の風に耐えることができる。より大きい竹およびアルンド・ドナックス（Ａｒｕｎｄｏ  ｄｏｎａｘ）は、丈夫な稈を有し、これは材木と同様の様式で用いることができ、禾本の根は、芝土の家の芝土を安定化する。アルンドは、木管楽器のリードを作製するために用いられ、竹は、多数の器具のために用いられる。
【００４３】
よって、好ましいリグノセルロースバイオマスは、禾本からなる群より選択される。言い換えると、好ましいリグノセルロースバイオマスは、イネ科に属する植物からなる群より選択される。
【００４４】
多糖含有バイオマスがリグノセルロース性である場合、物質は、小片に切断してよく、ここで、バイオマスの２０％（ｗ／ｗ）が、前処理の前に好ましくは２６〜７０ｍｍの範囲である。前処理された物質は、方法に入る前に２０％を超える乾物含量を有することが好ましい。バイオマスから炭水化物を遊離させる他に、前処理の方法は、バイオマスを消毒し、部分的に溶解し、同時に、リグニン画分から塩化カリウムを洗い流す。
【００４５】
バイオマスは、バイオマスの加水分解から得ることができる水溶性化学種に加水分解可能ないくつかの化合物を含有する。例えば、セルロースは、グルコース、セロビオースおよび高級グルコースポリマーに加水分解でき、ダイマーおよびオリゴマーを含む。セルロースは、炭水化物分解性セルラーゼによりグルコースに加水分解される。セルロース分解系の一般的な理解は、セルラーゼを３つのクラス、すなわちセルロース鎖の末端からセロビオース単位を切り出すエキソ−１，４−β−Ｄ−グルカナーゼまたはセロビオヒドロラーゼ（ＣＢＨ）（ＥＣ３．２．１．９１）、セルロース鎖の内部のβ−１，４−グルコース結合を無作為に加水分解するエンド−１，４−β−Ｄ−グルカナーゼ（ＥＧ）（ＥＣ３．２．１．４）、セロビオースをグルコースに加水分解し、セロオリゴ糖からグルコース単位を切り出す１，４−β−Ｄ−グルコシダーゼ（ＥＣ３．２．１．２１）に分ける。よって、バイオマスがセルロースを含有するならば、グルコースが、バイオマスの加水分解から得ることができる加水分解された水溶性化学種である。
【００４６】
同様の分析により、ヘミセルロースの加水分解生成物は、もちろんバイオマスがヘミセルロースを含有すると仮定して、バイオマスの加水分解から得ることができる水溶性化学種である。ヘミセルロースは、キシラン、グルクロノキシラン、アラビノキシラン、グルコマンナンおよびキシログルカンを含む。ヘミセルロース中の異なる糖は、ヘミセルラーゼにより遊離される。ヘミセルロース分解系は、ヘミセルロースの不均質な性質のために、セルロース分解系よりも複雑である。この系は、なかでも、キシラン鎖の内部の結合を加水分解するエンド−１，４−β−Ｄ−キシラナーゼ（ＥＣ３．２．１．８）、非還元末端からキシロオリゴ糖を攻撃してキシロースを遊離させる１，４−β−Ｄ−キシロシダーゼ（ＥＣ３．２．１．３７）、内部の結合を切断するエンド−１，４−β−Ｄ−マンナナーゼ（ＥＣ３．２．１．７８）、マンノオリゴ糖をマンノースに切断する１，４−β−Ｄ−マンノシダーゼ（ＥＣ３．２．１．２５）を含み得る。側鎖は、α−Ｄ−ガラクトシダーゼ（ＥＣ３．２．１．２２）、α−Ｌ−アラビノフラノシダーゼ（ＥＣ３．２．１．５５）、α−Ｄ−グルクロニダーゼ（ＥＣ３．２．１．１３９）、シンナモイルエステラーゼ（ＥＣ３．１．１．−）、アセチルキシランエステラーゼ（ＥＣ３．１．１．６）およびフルロイルエステラーゼ（ＥＣ３．１．１．７３）のようないくつかの酵素により除去される。
【００４７】
図１を参照して、方法の第１ステップは、バイオマス原料流れ１を、流れ２と表示する蒸気形態の水、すなわち水蒸気、液体形態の水、または水蒸気および液体が一緒のもののうちのいずれかなどの物質中に浸漬して、生成物３を生成することである。生成物３は、第１液体を含有する浸漬バイオマスであり、第１液体は、通常、液体もしくは蒸気の形態またはいくらかの混合物での水である。
【００４８】
この浸漬は、水蒸気もしくは液体もしくは水蒸気と水の混合物であり得る水、またはより一般的には、高温および高圧での水に物質を曝露する任意の数の技術により行うことができる。温度は、以下の範囲の１つである：１４５〜１６５℃、１２０〜２１０℃、１４０〜２１０℃、１５０〜２００℃、１５５〜１８５℃、１６０〜１８０℃。時間は、２４時間まででそれ未満、または１６時間未満、または１２時間未満、または９時間未満、または６時間未満のように長くなり得るが、曝露の時間は、好ましくは、１分〜６時間、１分〜４時間、１分〜３時間、１分〜２．５時間、より好ましくは５分〜１．５時間、５分〜１時間、１５分〜１時間の範囲で非常に短い。
【００４９】
水蒸気を用いる場合、これは、好ましくは飽和されているが、過熱することができる。浸漬ステップは、撹拌しながらもしくは撹拌しないバッチまたは連続式であり得る。別の実施形態を図９に示し、これは、高温浸漬の前に低温浸漬を有する。低温浸漬の温度は、２５〜９０℃の範囲である。時間は、２４時間まででそれ未満、または１６時間未満、または１２時間未満、または９時間未満、または６時間未満のように長くなり得るが、曝露の時間は、好ましくは、１分〜６時間、１分〜４時間、１分〜３時間、１分〜２．５時間、より好ましくは５分〜１．５時間、５分〜１時間、１５分〜１時間の範囲で非常に短い。
【００５０】
この低温浸漬は、図９に示し、３１はバイオマス原料であり、３２は水または液体であり、３３は低温浸漬バイオマスである。３４は液体であり、低温浸漬バイオマスから分離された第４液体流れであり得、１は、低温浸漬後のバイオマス原料である。
【００５１】
いずれの浸漬ステップも、方法におけるその後のより高い性能を達成するために、その他の化合物、例えばＨ２ＳＯ４、ＮＨ３の添加も含み得る。
【００５２】
第１液体を含む生成物３は、次いで、分離ステップに移り、ここで第１液体は、浸漬バイオマスから分離される。液体は、液体の少なくとも一部分、好ましくは経済的な時間枠内で可能な限り多くの液体が分離されるように、完全には分離されない。この分離ステップからの液体は、図１において５と表示する第１液体を含む第１液体流れとして知られる。第１液体は、通常は水および原料の可溶性化学種である浸漬に用いられた液体である。表１〜１６に示すように、これらの水溶性化学種は、グルカン、キシラン、ガラクタン、アラビナン、グルコオリゴマー、キシロオリゴマー、ガラクトオリゴマーおよびアラビノオリゴマーである。４と表示する固体バイオマスは、全てではないがほとんどの固体を含有するので、第１固体流れとよばれる。
【００５３】
液体の分離は、ここでもまた、既知の技術およびまだ発明されていないおそらくはいくつかのものにより行うことができる。好ましい装置は、圧搾機である。なぜなら、圧搾機は、高圧の下で液体を生成し、このことは、後に記載するように有用であるからである。
【００５４】
第１固体流れ４を、次いで、水蒸気爆砕して、水蒸気爆砕流れ６を創出する。水蒸気爆砕は、バイオマス分野において公知の技術であり、今日および将来利用可能な系のいずれも、このステップのために適切であると考えられる。水蒸気爆砕の厳しさは、文献においてＲｏとして知られ、時間および温度の関数であり、
Ｒｏ＝ｔ・ｅ［（Ｔ−１００）／１４．７５］
（セ氏で表される温度Ｔ、および共通の単位で表される時間ｔ）として表される。
【００５５】
この式は、Ｌｏｇ（Ｒｏ）として、すなわち
Ｌｏｇ（Ｒｏ）＝Ｌｎ（ｔ）＋［（Ｔ−１００）／１４．７５］
としても表される。
【００５６】
操作条件として以下に開示されるように、このプロセスは、高いＲｏの下で固体組成物を生成し、その低いフルフラール含量において新規である。データに示すように、フルフラールは、バイオマス中に天然に存在する化合物でない。フルフラールは、バイオマスを高温に曝露したときに作製される。
【００５７】
Ｌｏｇ（Ｒｏ）は、好ましくは、２．８〜５．３、３〜５．３、３〜５．０および３〜４．３の範囲にある。
【００５８】
水蒸気爆砕流れは、所望により、少なくとも水で洗浄してよく、その他の添加物も用いてよい。将来、別の液体を用い得ることが考えられるので、水は絶対的に必須であるとは考えられない。現時点で、水は好ましい液体であり、水を用いる場合、これは第３液体と考えられる。任意選択の洗浄からの廃液は、第３液体流れ８である。本明細書に添付される図面に示されるが、この洗浄ステップは必須であるとは考えられず、任意選択である。
【００５９】
洗浄された爆砕バイオマスを含む洗浄済み水蒸気爆砕流れは、７と表示する。洗浄された爆砕流れは、次いで、洗浄された爆砕物質中の液体の少なくとも一部分を除去するように加工される。この分離ステップも、任意選択である。少なくとも一部分が除去されるとの用語は、可能な限り多くの液体を除去することが望ましいが（圧搾）、１００％の除去が可能であるとは考えられないことを確認する。いずれにしても、水の１００％の除去は望ましくない。なぜなら、水は、後続の加水分解反応に必要であるからである。このステップについての好ましいプロセスは、ここでもまた圧搾であるが、その他の既知の技術およびまだ発明されていないものは、適切であると考えられる。このプロセスから分離される固体は、第２固体流れ１０中にある。流れ９が記載され、これは第２液体流れである。
【００６０】
図７の実施形態は、任意選択の洗浄および水蒸気爆砕物質からの液体の分離を含まない方法を示す。
【００６１】
第１液体流れの液体は、次いで、第２固体流れの固体と併合されて、流れ２０を形成する。
【００６２】
この方法の生成物は、以下の改良の１または任意の組合せが達成されるので、非常に独特であることがわかる：
Ａ）バイオマス中の阻害物質および次のステップ（例えば酵素加水分解、発酵、最終生成物分離）への望ましくない生成物と種々の物質のレベルが、他の方法よりも非常に低い；
Ｂ）全体的なヘミセルロース可溶化収率が、他の方法よりも高い；
Ｃ）バイオマスの分解が、他の方法に比べて改善される。
【００６３】
この方法の新規な組成物は、それらのＣ５、Ｃ６およびフルフラールの量に基づいて特徴づけることができる。希釈効果を回避するために、Ｃ５／Ｃ６の比率およびＣ５＋Ｃ６に対するフルフラール（フルフラールが存在する）の表現は、新しい組成物を特徴づけるために十分である。
【００６４】
組成物中の全Ｃ５は、組成物中のアラビナンとキシランの合計であり、これは、組成物の液体および固体中のアラビノースおよびキシロースのモノマー、ダイマー、オリゴマーおよびポリマーを含む。組成物中の全Ｃ６は、グルカン含量であり、これは、液体および固体中のモノマー、ダイマー、オリゴマーおよびポリマーを含む。
【００６５】
文献において知られるように、典型的な水蒸気爆砕バイオマスは、Ｃ６に対するＣ５の比率が０．５５より大きくて、［Ｃ５＋Ｃ６］に対するフルフラールの比率×１００００が少なくとも５０である。表１３および１４からの実験的流れに示すように、本明細書に記載される方法は、０より大きいフルフラール含量（これは常に存在する）を有するが、（Ｃ５＋Ｃ６）に対するフルフラールの比率×１００００が６０未満の水蒸気爆砕生成物を生成できる。よって、Ｃ６に対するＣ５の比率が０．４５〜０．５４の範囲であり、［Ｃ５＋Ｃ６］に対するフルフラールの比率×１００００が０〜６０、またはより好ましくは０〜５０、またはより好ましくは０〜３０である組成物が意図される。表１３および１４において、生成物においてＣ５が低く、このこともフルフラール含量を低減させることがその他の新規な特徴であることも注目される。
【００６６】
表１３および１４からわかるように、水蒸気爆砕からのこれらの組成物は、フルフラールを常に有し、Ｃ６に対するＣ５の比率が０．４５未満であり、Ｃ５＋Ｃ６に対するフルフラールの比率×１００００が４０未満であるか、またはより好ましくはＣ６に対するＣ５の比率が０．４５未満であり、Ｃ５＋Ｃ６に対するフルフラールの比率×１００００が１５未満であるか、またはより好ましくはＣ６に対するＣ５の比率が０．４５未満であり、Ｃ５＋Ｃ６に対するフルフラールの比率×１００００が１０未満であるか、またはより好ましくはＣ６に対するＣ５の比率が０．４０未満であり、Ｃ５＋Ｃ６に対するフルフラールの比率×１００００が４０未満であるか、またはさらにより好ましくはＣ６に対するＣ５の比率が０．４０未満であり、Ｃ５＋Ｃ６に対するフルフラールの比率×１００００が９未満であり、Ｃ６に対するＣ５の比率が０．３５未満であり、Ｃ５＋Ｃ６に対するフルフラールの比率×１００００が１０未満であるか、またはさらにより好ましくはＣ６に対するＣ５の比率が０．３０未満であり、Ｃ５＋Ｃ６に対するフルフラールの比率×１００００が７未満であることを特徴とすることができる。
【００６７】
これもまた表１３および１４に示されるように、液体流れの組成は独特であり、常にフルフラールを有し、Ｃ６に対するＣ５の比率が４．０より大きく、Ｃ５＋Ｃ６に対するフルフラールの比率×１００００が８０未満であるか、またはより好ましくはＣ６に対するＣ５の比率が４．０より大きく、Ｃ５＋Ｃ６に対するフルフラールの比率×１００００が６０未満であるか、またはさらにより好ましくはＣ６に対するＣ５の比率が４．０より大きく、Ｃ５＋Ｃ６に対するフルフラールの比率×１００００が３０未満であるか、またはＣ６に対するＣ５の比率が３．０より大きく、Ｃ５＋Ｃ６に対するフルフラールの比率×１００００が１６０未満のより広い範囲であると表すことができる。
【００６８】
フルフラールを常に有し、Ｃ６に対するＣ５の比率が１．０より大きく、Ｃ５＋Ｃ６に対するフルフラールの比率×１００００が８００未満であるか、またはより好ましくはＣ６に対するＣ５の比率が１．０より大きく、Ｃ５＋Ｃ６に対するフルフラールの比率×１００００が７００未満であるか、またはさらにより好ましくはＣ６に対するＣ５の比率が１．０より大きく、Ｃ５＋Ｃ６に対するフルフラールの比率×１００００が４００未満であるか、またはＣ６に対するＣ５の比率が１．０より大きく、Ｃ５＋Ｃ６に対するフルフラールの比率×１００００が３００未満のより狭い広い範囲である液体流れの組成物も意図される。
【００６９】
この方法のさらなる前進である図２は、第１液体流れを精製して、酢酸、ギ酸、レブリン酸、フルフラール、５−ＨＭＦ、フェノール性化合物のような阻害物質およびより一般的には、前のステップで形成され得る任意の望ましくない生成物をさらにより除去することである。これらの化合物のいくつかは、フラッシングにより除去可能であり、これは、圧搾の後の流れの温度および圧力を利用するために好ましい方法である。
【００７０】
例えば、第１液体流れ（温度：１８５℃、飽和液体相）を、従来の条件を用いて大気圧までフラッシュさせた。０．１グラムのフルフラール、２グラムの酢酸、０．１グラムのギ酸および８２グラムの水を含む１００グラムの供給流れをフラッシュさせると、０．０４５グラのフルフラール、０．０２４グラムの酢酸、０．０６グラムのギ酸および１４．７グラムの水が除去された。このことは、４５％のフルフラール、１２％の酢酸、６％のギ酸および１７％の水が、いずれのさらなる操作コストも要さず、糖類のいずれの損失もなく除去されたことを意味する。
【００７１】
フラッシュステップの別の利点は、精製液体流れ１１中の糖類が濃縮されることである。
【００７２】
フラッシュプロセスにおいて、分離における圧搾からの圧力を、物質をフラッシュタンクへ移し、揮発性物質を除去するまで維持することが好ましい。第１液体流れの精製は、ここでもまた、いずれのその他の既知の技術（例えば水蒸気ストリッピング）およびまだ発明されていないおそらくはいくつかのものにより行うことができる。この第１精製物質は、第１精製物質流れ１１中で見出すことができ、次いで、第２固体流れ１０と併合される。
【００７３】
まださらなる洗練が図３に示され、これは、任意選択の洗浄廃液である第３液体流れ８を第２精製液体流れ１２に精製し、次いで、これを第２固体流れ１０と併合する。揮発性物質の性質により、いずれのその他の方法または既知の技術およびまだ発明されていないおそらくはいくつかのものを利用することができるが、従来の方法または従来のものでない方法を用いる水蒸気ストリッピングが、好ましいアプローチであると考えられる。
【００７４】
可能であれば、その組成に基づいて、水蒸気爆砕からの水蒸気を用いて、水蒸気ストリッピングを行うことが好ましい。
【００７５】
同様に、図３を参照して、第２液体流れ９を精製して第２精製液体流れ１３中の第２精製液体を創出し、これを第２固体流れ１０中の物質と併合することができる。ここでもまた、既知の属性に鑑みて、水蒸気ストリッピングが好ましい解決法であると考えられる。
【００７６】
水蒸気ストリッピングは一般的であるので、この方法の好ましい実施形態は、第２および第３液体流れを同じユニットにおいて水蒸気ストリッピングすると考えられる。第１精製液体流れについても、一般的にフラッシングの後に、水蒸気ストリッピングが好ましいとも考えられる。よって、別の実施形態は、液体流れが同じユニットで精製され、好ましくは水蒸気ストリッピングされて精製流れ１４を生成し、これが次いで第２固体流れ１０と併合される図４である。
【００７７】
可能であれば、その組成に基づいて、水蒸気爆砕からの水蒸気を、いずれの水蒸気ストリッピングを行うために用いてもよい。
【００７８】
例えば、水蒸気爆砕により生成される全ての水蒸気を利用して行われる精製ステップが、第１液体流れ５の大気中フラッシュステップと、得られる液体の後続の水蒸気ストリッピングステップとからなる図２に示す方法において、第１液体流れ５に含まれる３０％の水、８０％の酢酸、８５％のフルフラールおよび６５％のギ酸が除去される。
【００７９】
原料およびバイオマスの種類に依存してさらなる精製が必要とされる場合には、精製流れ１４を、活性炭、活性炭素、モレキュラーシーブまたはメンブレンのような別のプロセス図５を用いてさらに精製して、流れ１５を生成できる。精製流れは、水含量が高いことが予測されるので、加水分解反応物を濃縮して水を除去することが望ましいと考えられ、よって、濃縮ステップが、好ましい実施形態である図６について有用であると考えられる。水濃縮ステップは、煮沸、結晶化のような既知の技術のいずれか１つであり得る。濃縮ステップ中に、揮発性阻害物質がいくらか除去される。濃縮ステップの後に、流れ１６を流れ１０中の物質と併合する。
【００８０】
以下のデータにおいて示すように、この方法の種々のステップが、加水分解反応の効率を増加させた。
【００８１】
考察
前処理の優位性は、実施例５〜６に示す結果を対照実施例１、２、３および４と比較することにより理解できる。
【００８２】
前処理におけるキシラン画分から生じる阻害物質の量は、連続水蒸気爆砕法において生じるものよりもかなり低い。
【００８３】
アルンドを用いて、原材料中に存在する１．３％のキシランだけが前処理により阻害物質化合物に分解される（実施例５）が、水蒸気爆砕法においては、１９．３％（実施例１）および６３．８％（実施例２）が阻害物質化合物に分解される。
【００８４】
同様の挙動が、アルンドを用いるグルカン分解について観察される。原材料中に存在する０．１％のグルカンだけが、前処理を用いて阻害物質化合物に分解される（実施例５）が、水蒸気爆砕法においては、１．９％（実施例１）および４．５％（実施例２）が阻害物質化合物に分解される。
【００８５】
モロコシを用いて、原材料中に存在する０．９７％のキシランだけが前処理により阻害物質化合物に分解される（実施例６）が、水蒸気爆砕においては、６１．７％（実施例３）および９４．９％（実施例４）が阻害物質化合物に分解される。
【００８６】
同様の挙動が、アルンドを用いるグルカン分解について観察される。原材料中に存在する０．１％のグルカンだけが前処理により阻害物質化合物に分解される（実施例６）が、水蒸気爆砕法においては、８．０％（実施例３）および９．５％（実施例４）が阻害物質化合物に分解される。
【００８７】
発酵性糖（可溶化キシランおよびグルカンの合計）の可溶化の全体の収率は、前処理の別の利点である。
【００８８】
９１．２％の発酵性糖（可溶化キシランおよびグルカンの合計）の点での全体の収率が、前処理を用いる酵素加水分解の後にモロコシを用いて得られ（実施例５）、これは、従来の水蒸気爆砕を用いて得られる値からは著しくより高い（実施例１において６５．９％および実施例２において６９．０％）。
【００８９】
９１．３％の発酵性糖（可溶化キシランおよびグルカンの合計）の点での全体の収率が、前処理を用いる酵素加水分解の後にアルンドを用いて得られ（実施例６）、これは、従来の水蒸気爆砕を用いて得られる値からは著しくより高い（実施例３において５６．０％および実施例４において５０．６％）。
【００９０】
実験のまとめ
アルンドおよびモロコシを、異なる前処理法に供した。従来の連続水蒸気爆砕を、浸漬プロセスと後続の水蒸気爆砕プロセスとからなる前処理と比較した。
【００９１】
前処理において、浸漬プロセスから生じる液体画分を、唯一の流れとして再循環する。
【００９２】
浸漬プロセスにおいて、ヘミセルロース画分の大部分の可溶化が生じる。より穏やかな操作条件により、この方法において生じる阻害物質の量は低い。
【００９３】
浸漬物質を、次いで、液体画分（約６２％）を除去するために圧搾プロセスに供する。
【００９４】
固体画分を、次いで、水蒸気爆砕処理に供し、ここでは、残存ヘミセルロースの可溶化と、セルロース画分の分解が生じる。
【００９５】
浸漬プロセスで生じる液体画分を、洗練プロセスに供し、次いで、水蒸気爆砕物質に再循環する。
【００９６】
前処理により、前処理区画を離れる流れ中の阻害物質がより少なく、従来の水蒸気爆砕前処理と比較した場合に結果的に発酵性糖の損失がより低く、前処理された物質への酵素の近づきやすさが増加する。
【００９７】
従来の水蒸気爆砕および前処理からの前処理された物質を、酵素の近づきやすさを評価するために酵素加水分解に供した。
【００９８】
方法全体の収率を、前処理方法に入る原材料の組成から出発して、プロセス物質収支ならびにグルカンおよびキシランについての酵素加水分解収率を考慮して算出した。
【実施例１】
【００９９】
アルンドは、以下の組成を有する：３７．５％グルカン、１９．３％キシラン、５．８％アセチル基、２２．６％クラソンリグニン、６．３％灰分、８．５％抽出物。
【０１００】
アルンドを、２００℃にて６分間の連続水蒸気爆砕（Ｓｔａｋｅ  Ｔｅｃｈ反応器）に供した。この前処理は、７０．６％のキシランおよび８．６％のグルカンの可溶化を導く。１９．３％のキシランが、阻害物質化合物（フルフラールおよびその他の分解生成物）に分解され、１．９％のグルカンが、阻害物質化合物（ＨＭＦおよびギ酸）に分解された。
【０１０１】
組成を溶剤、可溶性固体、不溶性固体にまとめることができる前処理された物質のある量を、実験室発酵槽に加える。溶剤（水、緩衝剤、抗菌溶液）および触媒溶液をこの物質に加え、全固体含量を７．５％にする。触媒溶液は、前処理されたアルンドについてグルカン１ｇあたり６０ＦＰＵおよびキシラン１ｇあたり１０９ＦＸＵの活性を有すると算出される。
【０１０２】
酵素加水分解に入る流れの組成を、表１に示す。
【０１０３】
【表１】
0005666554.tif 000002
【０１０４】
酵素加水分解の後に、プロセスの液体および固体画分を、グルカンおよびキシランの可溶化の収率を計るために分析した。酵素加水分解プロセスにおいて、グルカン可溶化収率は７１％であり、キシラン可溶化収率は８４％であった。
【０１０５】
方法全体の収率を、前処理方法に入る原材料の組成から出発して、プロセス物質収支ならびにグルカンおよびキシランについての酵素加水分解収率を考慮して算出した。
【０１０６】
プロセス可溶化収率は、グルカンについて６９．３％と算出され、プロセス可溶化収率は、キシランについて５９．３％と算出された。原材料中に存在するグルカンおよびキシランの合計に対する全体の可溶化収率は、この方法において６５．９％と算出された。アルンドについての全体の収率は、表２にある。
【０１０７】
【表２】
0005666554.tif 000003
【実施例２】
【０１０８】
アルンドは、以下の組成を有する：３７．５％グルカン、１９．３％キシラン、５．８％アセチル基、２２．６％クラソンリグニン、６．３％灰分、８．５％抽出物。
【０１０９】
アルンドを、２１５℃にて６分間の連続水蒸気爆砕（Ｓｔａｋｅ  Ｔｅｃｈ反応器）に供した。この前処理は、９０．８％のキシランおよび７．１％のグルカンの可溶化を導く。６３．８％のキシランが、阻害物質化合物（フルフラールおよびその他の分解生成物）に分解され、４．５％のグルカンが、阻害物質化合物（ＨＭＦおよびギ酸）に分解された。
【０１１０】
組成を溶剤、可溶性固体、不溶性固体にまとめることができる前処理された物質のある量を、実験室発酵槽に加える。溶剤（水、緩衝剤、抗菌溶液）および触媒溶液をこの物質に加え、全固体含量を７．５％にする。触媒溶液は、前処理されたアルンドについてグルカン１ｇあたり６０ＦＰＵおよびキシラン１ｇあたり２４８ＦＸＵの活性を有すると算出される。
【０１１１】
酵素加水分解に入る流れの組成を、表３に示す。
【０１１２】
【表３】
0005666554.tif 000004
【０１１３】
酵素加水分解の後に、プロセスの液体および固体画分を、グルカンおよびキシランの可溶化の収率を計るために分析した。酵素加水分解プロセスにおいて、グルカン可溶化収率は８２％であり、キシラン可溶化収率は９９％であった。
【０１１４】
方法全体の収率を、前処理方法に入る原材料の組成から出発して、プロセス物質収支ならびにグルカンおよびキシランについての酵素加水分解収率を考慮して算出した。
【０１１５】
プロセス可溶化収率は、グルカンについて８７．８％と算出され、プロセス可溶化収率は、キシランについて３５％と算出された。原材料中に存在するグルカンおよびキシランの合計に対する全体の可溶化収率は、この方法において６９．０％と算出される。
【０１１６】
アルンドについての全体の収率は、表４にある。
【０１１７】
【表４】
0005666554.tif 000005
【実施例３】
【０１１８】
ファイバーソルガムは、以下の組成を有する：３５．８％グルカン、２０．０％キシラン、５．６１％アセチル基、１７．３％クラソンリグニン、６．４％灰分、１４．８％抽出物。
【０１１９】
裁断したモロコシを、２００℃にて６分間の連続水蒸気爆砕（Ｓｔａｋｅ  Ｔｅｃｈ反応器）に供した。この前処理は、８６．６％のキシランおよび２５．５％のグルカンの可溶化を導く。６１．７％のキシランが、阻害物質化合物（フルフラールおよびその他の分解生成物）に分解され、８．０％のグルカンが、阻害物質化合物（ＨＭＦおよびギ酸）に分解された。
【０１２０】
組成を溶剤、可溶性固体、不溶性固体にまとめることができる前処理された物質のある量を、実験室発酵槽に加える。溶剤（水、緩衝剤、抗菌溶液）および触媒溶液をこの物質に加え、全固体含量を７．５％にする。触媒溶液は、前処理されたモロコシについてグルカン１ｇあたり６０ＦＰＵおよびキシラン１ｇあたり２２０ＦＸＵの活性を有すると算出される。
【０１２１】
酵素加水分解に入る流れの組成を、表５に示す。
【０１２２】
【表５】
0005666554.tif 000006
【０１２３】
酵素加水分解の後に、プロセスの液体および固体画分を、グルカンおよびキシランの可溶化の収率を計るために分析した。酵素加水分解プロセスにおいて、グルカン可溶化収率は７７％であり、キシラン可溶化収率は８５％であった。
【０１２４】
方法全体の収率を、前処理方法に入る原材料の組成（表１）から出発して、プロセス物質収支ならびにグルカンおよびキシランについての酵素加水分解収率を考慮して算出した。
【０１２５】
プロセス可溶化収率は、グルカンについて７０．８％と算出され、プロセス可溶化収率は、キシランについて３２．１％と算出された。原材料中に存在するグルカンおよびキシランの合計に対する全体の可溶化収率は、この方法において５６．０％と算出される。
【０１２６】
モロコシについての全体の収率は、表６にある。
【０１２７】
【表６】
0005666554.tif 000007
【実施例４】
【０１２８】
ファイバーソルガムは、以下の組成を有する：３５．８％グルカン、２０．０％キシラン、５．６１％アセチル基、１７．３％クラソンリグニン、６．４％灰分、１４．８％抽出物。
【０１２９】
裁断したモロコシを、２０７℃にて６分間の連続水蒸気爆砕（Ｓｔａｋｅ  Ｔｅｃｈ反応器）に供した。この前処理は、９４．９％のキシランおよび２３．４％のグルカンの可溶化を導く。８６．３％のキシランが、阻害物質化合物（フルフラールおよびその他の分解生成物）に分解され、９．５％のグルカンが、阻害物質化合物（ＨＭＦおよびギ酸）に分解された。
【０１３０】
組成を溶剤、可溶性固体、不溶性固体にまとめることができる前処理された物質のある量を、実験室発酵槽に加える。溶剤（水、緩衝剤、抗菌溶液）および触媒溶液をこの物質に加え、全固体含量を７．５％にする。触媒溶液は、前処理されたモロコシについてグルカン１ｇあたり６０ＦＰＵおよびキシラン１ｇあたり２４８ＦＸＵの活性を有すると算出される。
【０１３１】
酵素加水分解に入る流れの組成を、表７に示す。
【０１３２】
【表７】
0005666554.tif 000008
【０１３３】
酵素加水分解の後に、プロセスの液体および固体画分を、グルカンおよびキシランの可溶化の収率を計るために分析した。酵素加水分解プロセスにおいて、グルカン可溶化収率は７９％であり、キシラン可溶化収率は９９％であった。
【０１３４】
方法全体の収率を、前処理方法に入る原材料の組成から出発して、プロセス物質収支ならびにグルカンおよびキシランについての酵素加水分解収率を考慮して算出した。
【０１３５】
プロセス可溶化収率は、グルカンについて７１．５％と算出され、プロセス可溶化収率は、キシランについて１３．４％と算出された。原材料中に存在するグルカンおよびキシランの合計に対する全体の可溶化収率は、この方法において５０．６０％と算出される。
【０１３６】
モロコシについての全体の収率は、表８にある。
【０１３７】
【表８】
0005666554.tif 000009
【実施例５】
【０１３８】
アルンドは、以下の組成を有する：３７．５％グルカン、１９．３％キシラン、５．８％アセチル基、２２．６％クラソンリグニン、６．３％灰分、８．５％抽出物。
【０１３９】
アルンドを、１６０℃にて１００分間のバッチ浸漬プロセスに供し、ここで、原材料の最初の可溶化が生じた。固体相および液体相がこのプロセスで生じた。固体相を、２００℃にて８分間のバッチ水蒸気爆砕前処理に供した。浸漬プロセスで生じた液体相を、次いで、水蒸気爆砕物質に再循環した。
【０１４０】
この前処理は、８１．２％のキシランおよび３．７％のグルカンの可溶化を導く。１．３％のキシランが、阻害物質化合物（フルフラールおよびその他の分解生成物）に分解され、０．１％のグルカンが、阻害物質化合物（ＨＭＦおよびギ酸）に分解された。
【０１４１】
組成を溶剤、可溶性固体、不溶性固体にまとめることができる前処理された物質のある量を、実験室発酵槽に加える。溶剤（水、緩衝剤、抗菌溶液）および触媒溶液をこの物質に加え、全固体含量を７．５％にする。触媒溶液は、前処理されたアルンドについてグルカン１ｇあたり３４ＦＰＵおよびキシラン１ｇあたり６８ＦＸＵの活性を有すると算出される。
【０１４２】
酵素加水分解に入る流れの組成を、表９に示す。
【０１４３】
【表９】
0005666554.tif 000010
【０１４４】
方法全体の収率を、前処理方法に入る原材料の組成（表１）から出発して、プロセス物質収支ならびにグルカンおよびキシランについての酵素加水分解収率を考慮して算出した。
【０１４５】
プロセス可溶化収率は、グルカンについて８７．４％と算出され、プロセス可溶化収率は、キシランについて９７．５％と算出された。原材料中に存在するグルカンおよびキシランの合計に対する全体の可溶化収率は、この方法において９１．２％と算出される。
【０１４６】
アルンドについての全体の収率は、表１０にある。
【０１４７】
【表１０】
0005666554.tif 000011
【実施例６】
【０１４８】
ファイバーソルガムは、以下の組成を有する：３５．８％グルカン、２０．０％キシラン、５．６１％アセチル基、１７．３％クラソンリグニン、６．４％灰分、１４．８％抽出物。
【０１４９】
ファイバーソルガムを、１８０℃にて２５分間のバッチ浸漬プロセスに供し、ここで、原材料の最初の可溶化が生じた。固体相および液体相がこのプロセスで生じた。固体相を、２００℃にて８分間のバッチ水蒸気爆砕前処理に供した。浸漬プロセスで生じた液体相を、次いで、水蒸気爆砕物質に再循環した。
【０１５０】
この前処理は、６３．６％のキシランおよび６．３％のグルカンの可溶化を導く。０．９７％のキシランが、阻害物質化合物（フルフラールおよびその他の分解生成物）に分解され、０．１％のグルカンが、阻害物質化合物（ＨＭＦおよびギ酸）に分解された。
【０１５１】
組成を溶剤、可溶性固体、不溶性固体にまとめることができる前処理された物質のある量を、実験室発酵槽に加える。溶剤（水、緩衝剤、抗菌溶液）および触媒溶液をこの物質に加え、全固体含量を７．５％にする。触媒溶液は、前処理されたモロコシについてグルカン１ｇあたり３４ＦＰＵおよびキシラン１ｇあたり５９ＦＸＵの活性を有すると算出される。
【０１５２】
酵素加水分解に入る流れの組成を、表１１に報告する。
【０１５３】
【表１１】
0005666554.tif 000012
【０１５４】
方法全体の収率を、前処理方法に入る原材料の組成（表１）から出発して、プロセス物質収支ならびにグルカンおよびキシランについての酵素加水分解収率を考慮して算出した。
【０１５５】
プロセス可溶化収率は、グルカンについて８７．８％と算出され、プロセス可溶化収率は、キシランについて９７．８％と算出された。原材料中に存在するグルカンおよびキシランの合計に対する全体の可溶化収率は、この方法において９１．３％と算出される。
【０１５６】
モロコシについての全体の収率は、表１２にある。
【０１５７】
【表１２】
0005666554.tif 000013
【０１５８】
表１３および１４は、供給の流れの分析を示し、これらは、図１に記載する方法の種々の段階を通して、表に記載される条件下で、本明細書中の装置を用いて採取された。
【０１５９】
【表１３】
0005666554.tif 000014
【０１６０】
【表１４】
0005666554.tif 000015
【０１６１】
以下の２つの系列の実験１５および１６は、それぞれコムギのわらおよびアルンドについての連続プロセスで行われた。いくつかの組成物はフルフラールを含まず、これは、水蒸気爆砕の後の蒸気の流れの中にフルフラールを保持する過剰量の水蒸気により引き起こされたと考えられる。
【０１６２】
【表１５Ａ】
0005666554.tif 000016
【表１５Ｂ】
0005666554.tif 000017
【表１５Ｃ】
0005666554.tif 000018
【表１５Ｄ】
0005666554.tif 000019
【表１５Ｅ】
0005666554.tif 000020
【０１６３】
【表１６Ａ】
0005666554.tif 000021
【表１６Ｂ】
0005666554.tif 000022
【表１６Ｃ】
0005666554.tif 000023
【表１６Ｄ】
0005666554.tif 000024
【０１６４】
酵素加水分解手順
この手順は、最大酵素負荷に基づく所与の前処理の効率を測定するために用いる。
【０１６５】
この手順は、可能な最大程度の消化能力を決定するための、天然または前処理したリグノセルロースバイオマスからグルコースおよびキシロースへのセルロースおよびヘミセルロースの酵素による糖化を記載する（商業的に入手可能かまたは社内で製造したセルラーゼ調製物の飽和レベルおよび１週間までの加水分解期間を用いる）。
【０１６６】
前処理されたバイオマス−摩砕、水もしくは水蒸気、強酸もしくは希酸または強アルカリもしくは希アルカリでの化学処理、あるいはその他の物理的または化学的な方法に供して、物質の含有セルロースに酵素作用がより近づきやすくなるようにしたバイオマス。
【０１６７】
セルラーゼ酵素−３つ全ての共動のセルロース分解活性、すなわちエンド−１，４−β−Ｄ−グルカナーゼ、エキソ−１，４−β−グルコシダーゼまたはβ−Ｄ−グルコシダーゼ活性を示す酵素調製物（これらの活性は、異なるセルラーゼ調製物中で異なる程度で提示される）。
【０１６８】
前処理された物質を、３リットル発酵槽（Ｉｎｆｏｒｓ  ＨＴ、Ｌａｂｆｏｒｓ３）中での酵素加水分解（ＥＨ）のために用いた。ＥＨを、７．５％固体濃度にて、商業的な酵素溶液を用いて行った。温度およびｐＨは４５℃および５．０に維持し、撹拌機は４００ｒｐｍに維持した。
【０１６９】
組成を溶剤、可溶性固体、不溶性固体にまとめることができる前処理された物質のある量を、実験室発酵槽に加える。溶剤（水、緩衝剤、抗菌溶液）および触媒溶液をこの物質に加え、全固体含量を７．５％にする。触媒溶液は、セルロース１ｇあたりのＦＰＵで表して３４の活性を有すると算出される。
【０１７０】
触媒組成は、以下の表に示す。
【０１７１】
【表１７】
0005666554.tif 000025
【０１７２】
ｐＨは、緩衝液または塩基もしくは酸の溶液を加えることにより所望の値に維持する。
【０１７３】
液体画分の一定量を、異なる時間に採取し、糖（グルコース、キシロースおよびセロビオース）含量について分析する。反応の最後の固体相を回収する。固体相の一定量を３倍容量の水で５０℃にて３回洗浄する。洗浄の間に、固体に吸着した全ての可溶性画分が除去される。洗浄した固体を、次いで、湿気および７２％のＨ２ＳＯ４を用いる定量酸加水分解に供し、その後、標準的な方法（ＮＲＥＬ）に供してその組成を定量する。
【０１７４】
試薬
７．１試薬
アジ化ナトリウム（蒸留水中に２０ｍｇ／ｍｌ）
既知の活性のセルラーゼ酵素複合体、ＦＰＵ／ｍＬ。
既知の活性の既知のキシラナーゼ酵素、ＦＸＵ／ｍＬ
【０１７５】
分析による決定
原材料を、湿気および抽出物決定に供し、７２％のＨ２ＳＯ４を用いる定量酸加水分解とその後の標準的な方法（ＮＲＥＬ／ＴＰ−５１０−４２６１８、ＮＲＥＬ／ＴＰ−５１０−４２６１９、ＮＲＥＬ／ＴＰ−５１０−４２６２２）に供した。加水分解後の固体残渣をろ過により回収して、クラソンリグニンとみなした。加水分解物を、単糖類（セルロースに由来するグルコース；ヘミセルロースに由来するキシロースおよびアラビノース）および酢酸（アセチル基に由来）についてＨＰＬＣにより分析した。クロマトグラフィーによる決定を、イオン交換樹脂Ｂｉｏｒａｄ  Ａｍｉｎｅｘ  ＨＰＸ−８７Ａカラムを備えるＤｉｏｎｅｘ  Ｐ６８０Ａ＿ＬＰＧを、以下の条件下で用いて行った：移動相、０．０５ｍｏｌ／Ｌの硫酸；流速０．６ｍｌ／分；およびカラム温度６５℃。
【０１７６】
試料の水分含量を、１０５℃にて一定重量までオーブン乾燥することにより決定した。
【０１７７】
前処理の後に、固体残渣をろ過により回収し、水で洗浄し、風乾し、収率決定のために秤量した。前処理からの固体残渣の一定量を、流れの洗浄された固体画分に用いる原材料分析についてと同じ方法を用いて組成についてアッセイした。
【０１７８】
試料の不溶性固体含量を、以下の標準的な方法により決定した（ＮＲＥＬ／ＴＰ−５１０−４２６２７）。
【０１７９】
浸漬から出た液体相および水蒸気爆砕物質に付随する液体相の一定量を、一定重量までオーブン乾燥して、不揮発性固体の含量を決定した（ＮＲＥＬ／ＴＰ−５１０−４２６２１）。
【０１８０】
液を、単糖、フルフラール、ヒドロキシメチルフルフラールおよび酢酸の直接ＨＰＬＣ決定のために用いた。液の一定量を、４％（ｗ／ｗ）のＨ２ＳＯ４を１２１℃にて６０分間用いる定量酸加水分解に供した後に、ＨＰＬＣ分析した（ＮＲＥＬ／ＴＰ−５１０−４２６２３）。グルコオリゴ糖、アラビノオリゴ糖、キシロオリゴ糖の濃度を、液の加水分解後にＨＰＬＣにより分析して、グルコース、キシロースおよびアラビノースの濃度の増加から算出した（ＮＲＥＬ法）。
【０１８１】
ＮＲＥＬ分析法
バイオマス中の構造炭水化物およびリグニンの決定
Ｌａｂｏｒａｔｏｒｙ  Ａｎａｌｙｔｉｃａｌ  Ｐｒｏｃｅｄｕｒｅ（ＬＡＰ）発行日：２００８年４月２５日
Ｔｅｃｈｎｉｃａｌ  Ｒｅｐｏｒｔ  ＮＲＥＬ／ＴＰ−５１０−４２６１８  ２００８年４月改訂
【０１８２】
バイオマス中の抽出物の決定
Ｌａｂｏｒａｔｏｒｙ  Ａｎａｌｙｔｉｃａｌ  Ｐｒｏｃｅｄｕｒｅ（ＬＡＰ）発行日：２００５年７月１７日
Ｔｅｃｈｎｉｃａｌ  Ｒｅｐｏｒｔ  ＮＲＥＬ／ＴＰ−５１０−４２６１９  ２００８年１月
【０１８３】
組成分析のための試料の調製
Ｌａｂｏｒａｔｏｒｙ  Ａｎａｌｙｔｉｃａｌ  Ｐｒｏｃｅｄｕｒｅ（ＬＡＰ）発行日：２００５年９月２８日
Ｔｅｃｈｎｉｃａｌ  Ｒｅｐｏｒｔ  ＮＲＥＬ／ＴＰ−５１０−４２６２０  ２００８年１月
【０１８４】
バイオマス中の全固体および液体プロセス試料中の全可溶化固体の決定
Ｌａｂｏｒａｔｏｒｙ  Ａｎａｌｙｔｉｃａｌ  Ｐｒｏｃｅｄｕｒｅ（ＬＡＰ）発行日：２００８年３月３１日
Ｔｅｃｈｎｉｃａｌ  Ｒｅｐｏｒｔ  ＮＲＥＬ／ＴＰ−５１０−４２６２１  ２００８年３月改訂
【０１８５】
バイオマス中の灰分の決定
Ｌａｂｏｒａｔｏｒｙ  Ａｎａｌｙｔｉｃａｌ  Ｐｒｏｃｅｄｕｒｅ（ＬＡＰ）発行日：２００５年７月１７日
Ｔｅｃｈｎｉｃａｌ  Ｒｅｐｏｒｔ  ＮＲＥＬ／ＴＰ−５１０−４２６２２  ２００８年１月
【０１８６】
液体画分プロセス試料中の糖類、副生成物および分解生成物の決定
Ｌａｂｏｒａｔｏｒｙ  Ａｎａｌｙｔｉｃａｌ  Ｐｒｏｃｅｄｕｒｅ（ＬＡＰ）発行日：２００６年１２月８日
Ｔｅｃｈｎｉｃａｌ  Ｒｅｐｏｒｔ  ＮＲＥＬ／ＴＰ−５１０−４２６２３  ２００８年１月
【０１８７】
前処理されたバイオマス物質中の不溶性固体の決定
Ｌａｂｏｒａｔｏｒｙ  Ａｎａｌｙｔｉｃａｌ  Ｐｒｏｃｅｄｕｒｅ（ＬＡＰ）発行日：２００８年３月２１日
ＮＲＥＬ／ＴＰ−５１０−４２６２７  ２００８年３月
【図１】
0005666554.tif 000026
【図２】
0005666554.tif 000027
【図３】
0005666554.tif 000028
【図４】
0005666554.tif 000029
【図５】
0005666554.tif 000030
【図６】
0005666554.tif 000031
【図７】
0005666554.tif 000032
【図８】
0005666554.tif 000033
【図９】
0005666554.tif 000034